(57)【要約】【課題】内焦式の合焦機構を備え、かつ、高倍率のズーム機構を備えたレンズ鏡筒であっても、ズーム操作性が良好であって、かつ、小型のレンズ鏡筒を提供する。【解決手段】ズーム操作時に、第１のカムリング２及び第２のカムリング５の回転量と、第１の摺動枠３及びカムピン部１２の回転量とが異なるように、第１のカム溝部４ｂと第２のカム溝部５ｂと第３のカム溝部１０ａとのカム形状を形成する。特に、第１の摺動枠３及びカムピン部１２の回転量は、第１のカムリング２及び第２のカムリング５の回転量よりも少なくする。【選択図】図１
2005266472.tif 000002
【特許請求の範囲】
【請求項１】
固定筒と、
複数のレンズ群からなる撮影光学系と、
回転操作により前記撮影光学系のうちの変倍レンズ群の相対位置関係を変更し、前記撮影光学系の撮影倍率を変更するズーム操作部材と、
前記変倍レンズ群のうち合焦動作を兼ねる変倍合焦レンズ群の変倍動作時の位置決めを行う位置決めカム溝部を有し、前記ズーム操作部材の回転操作により光軸周りに回転するカムリングと、
前記変倍動作時に前記位置決めカム溝部と共に前記変倍合焦レンズ群を光軸方向に回転させながら光軸方向の位置決めを行う案内溝を有し、前記変倍動作時に前記カムリングと光軸周りに相対的に回転する案内リングと、
前記位置決めカム溝部及び前記案内溝と係合し前記変倍合焦レンズ群の位置決めを行うカムピン部を有する案内部材と、
前記カムピン部と係合し前記変倍合焦レンズ群の光軸方向の位置を変更し合焦動作を行うための合焦カム溝部を有し、前記変倍合焦レンズ群と一体的に移動するフォーカス群移動枠と、
前記変倍動作時には前記フォーカス群移動枠の光軸周りの回転を規制し、合焦動作時には前記フォーカス群移動枠を光軸周りに回転させ合焦を行うフォーカス操作部材と、
を有するレンズ鏡筒。
【請求項２】
固定筒と、
ズーム操作時に回転操作されるズーム操作部材と、
前記固定筒の内周側に設けられた第１のカムリングと、
前記第１のカムリングの内周側に嵌合して設けられ、光軸に沿った方向の移動量が前記第１のカムリングと等しい第１の摺動枠と、
前記第１の摺動枠と一体となって移動するように設けられたカムピン部と、
前記第１のカムリングの内周側に設けられた第２の摺動枠と、
前記固定筒の外周側に設けられた第３の摺動枠と、
前記第３の摺動枠に設けられ前記カムピン部が嵌合する第１のカム溝部と、
前記第３の摺動枠の外周側に設けられズーム操作時に前記第１のカムリングと回転量が等しくなるように設けられた第２のカムリングと、
前記第２のカムリングに設けられ前記カムピン部が嵌合する第２のカム溝部と、
前記第３の摺動枠の内周側に設けられたフォーカス群移動枠と、
前記フォーカス群移動枠に設けられ前記カムピン部が嵌合する第３のカム溝部と、
を備え、
ズーム操作時に、前記第１のカムリング及び前記第２のカムリングの回転量と、前記第１の摺動枠及び前記カムピン部の回転量とが異なるように、前記第１のカム溝部と前記第２のカム溝部と前記第３のカム溝部とのカム形状が形成されていること、
を特徴とするレンズ鏡筒。
【請求項３】
請求項２に記載のレンズ鏡筒において、
前記第１の摺動枠及び前記カムピン部の回転量は、
前記第１のカムリング及び前記第２のカムリングの回転量よりも少ないこと、
を特徴とするレンズ鏡筒。
【請求項４】
請求項２又は請求項３に記載のレンズ鏡筒において、
前記第１の摺動枠と前記第１のカムリングとに相対的なばね付勢力を与えるばね部材を有すること、
を特徴とするレンズ鏡筒。
【請求項５】
請求項２から請求項４までのいずれか１項に記載のレンズ鏡筒において、
前記第１の摺動枠及び前記第２の摺動枠は、前記第１のカムリングの同一内径の内周面に嵌合して設けられていること、
を特徴とするレンズ鏡筒。
【発明の詳細な説明】
【技術分野】
【０００１】
本発明は、内焦式の合焦機構を備え、かつ、ズーム機構を備えたレンズ鏡筒に関するものである。
【背景技術】
【０００２】
従来、焦点距離によってフォーカス用のレンズの移動量が異なる内焦式ズームレンズ鏡筒においては、特許文献１に示されるように、フォーカス用レンズを駆動するフォーカスカムの使用領域をズーム操作によって移動させている。
しかし、フォーカスカムの形状を最適化すると、フォーカスの回転角、ズームの回転角の選択の自由度がなくなり、両回転角がほぼ決まってしまうという問題があった。
また、ズーム比が高倍率になるほど、レンズ群の移動量が大きくなり、フォーカスカム形状から決まったズーム回転角では、ズーム操作力量が非常に重いものになってしまうという問題があった。
この問題に対して、特許文献２では、多層式のレンズ移動構造が提案され、また、特許文献３では、一部カムリングの回転角変更構造が提案されている。
【０００３】
しかし、特許文献２に記載のレンズ鏡筒では、ズーム回転角に対するレンズ群の移動軌跡は、フォーカスカムが決定した時点で決まってしまうため、ズーム中の操作力量の変動がレンズ群の移動軌跡で決まってしまい、レンズ群の構成によっては、スムーズな操作が困難になるという問題があった。
【０００４】
また、特許文献３に記載のレンズ鏡筒では、一部カムリングの回転角を変更しているので、ズーム中の操作力量の平滑化は一部において可能ではあるが、一部のレンズ群であるため不十分であるという問題があった。さらに、特許文献３に記載のレンズ鏡筒では、ズーム操作環の回転角は、フォーカスカムで決まった回転角のままで、操作性の最適化を行えないという問題があった。
【特許文献１】特開昭６３−３１４５１１号公報
【特許文献２】特開平１０−２５３８６７号公報
【特許文献３】特開平１１−３０５１０５号公報
【発明の開示】
【発明が解決しようとする課題】
【０００５】
本発明の課題は、内焦式の合焦機構を備え、かつ、高倍率のズーム機構を備えたレンズ鏡筒であっても、ズーム操作性が良好であって、かつ、小型のレンズ鏡筒を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、固定筒（１）と、複数のレンズ群からなる撮影光学系（Ｌ１〜Ｌ３）と、回転操作により前記撮影光学系（Ｌ１〜Ｌ３）のうちの変倍レンズ群（Ｌ１〜Ｌ３）の相対位置関係を変更し、前記撮影光学系（Ｌ１〜Ｌ３）の撮影倍率を変更するズーム操作部材（７）と、前記変倍レンズ群（Ｌ１〜Ｌ３）のうち合焦動作を兼ねる変倍合焦レンズ群（Ｌ２）の変倍動作時の位置決めを行う位置決めカム溝部（５ｂ）を有し、前記ズーム操作部材（７）の回転操作により光軸周りに回転するカムリング（５）と、前記変倍動作時に前記位置決めカム溝部（５ｂ）と共に前記変倍合焦レンズ群（Ｌ２）を光軸方向に回転させながら光軸方向の位置決めを行う案内溝（４ｂ）を有し、前記変倍動作時に前記カムリング（５）と光軸周りに相対的に回転する案内リング（４）と、前記位置決めカム溝部（５ｂ）及び前記案内溝（４ｂ）と係合し前記変倍合焦レンズ群（Ｌ２）の位置決めを行うカムピン部（１２）を有する案内部材（３）と、前記カムピン部（１２）と係合し前記変倍合焦レンズ群（Ｌ２）の光軸方向の位置を変更し合焦動作を行うための合焦カム溝部（１０ａ）を有し、前記変倍合焦レンズ群（Ｌ２）と一体的に移動するフォーカス群移動枠（１０）と、前記変倍動作時には前記フォーカス群移動枠（１０）の光軸周りの回転を規制し、合焦動作時には前記フォーカス群移動枠（１０）を光軸周りに回転させ合焦を行うフォーカス操作部材（８）と、を有するレンズ鏡筒。
【０００７】
請求項２の発明は、固定筒（１）と、ズーム操作時に回転操作されるズーム操作部材（７）と、前記固定筒の内周側に設けられた第１のカムリング（２）と、前記第１のカムリング（２）の内周側に嵌合して設けられ、光軸に沿った方向の移動量が前記第１のカムリング（２）と等しい第１の摺動枠（３）と、前記第１の摺動枠（３）と一体となって移動するように設けられたカムピン部（１２）と、前記第１のカムリング（２）の内周側に設けられた第２の摺動枠（１１）と、前記固定筒の外周側に設けられた第３の摺動枠（４）と、前記第３の摺動枠（４）に設けられ前記カムピン部（１２）が嵌合する第１のカム溝部（４ｂ）と、前記第３の摺動枠（４）の外周側に設けられズーム操作時に前記第１のカムリング（２）と回転量が等しくなるように設けられた第２のカムリング（５）と、前記第２のカムリング（５）に設けられ前記カムピン部（１２）が嵌合する第２のカム溝部（５ｂ）と、前記第３の摺動枠（４）の内周側に設けられたフォーカス群移動枠（１０）と、前記フォーカス群移動枠（１０）に設けられ前記カムピン部（１２）が嵌合する第３のカム溝部（１０ａ）と、を備え、ズーム操作時に、前記第１のカムリング（２）及び前記第２のカムリング（５）の回転量と、前記第１の摺動枠（３）及び前記カムピン部（１２）の回転量とが異なるように、前記第１のカム溝部（４ｂ）と前記第２のカム溝部（５ｂ）と前記第３のカム溝部（１０ａ）とのカム形状が形成されていること、を特徴とするレンズ鏡筒である。
【０００８】
請求項３の発明は、請求項２に記載のレンズ鏡筒において、前記第１の摺動枠（３）及び前記カムピン部（１２）の回転量は、前記第１のカムリング（２）及び前記第２のカムリング（５）の回転量よりも少ないこと、を特徴とするレンズ鏡筒である。
【０００９】
請求項４の発明は、請求項２又は請求項３に記載のレンズ鏡筒において、前記第１の摺動枠（３）と前記第１のカムリング（２）とに相対的なばね付勢力を与えるばね部材（１３）を有すること、を特徴とするレンズ鏡筒である。
【００１０】
請求項５の発明は、請求項２から請求項４までのいずれか１項に記載のレンズ鏡筒において、前記第１の摺動枠（３）及び前記第２の摺動枠（１１）は、前記第１のカムリング（２）の同一内径の内周面に嵌合して設けられていること、を特徴とするレンズ鏡筒である。
【発明の効果】
【００１１】
本発明によれば、以下の効果を奏することができる。
（１）位置決めカム溝部を有したカムリングと、案内溝を有した案内リングと、合焦カム溝部を有したフォーカス群移動枠と、これらのカム溝部，案内溝，合焦カム溝部と係合するカムピン部を有する案内部材とを有しているので、ズーム操作部材を操作する力量、力量変動を任意に設定ことができ、操作性をよくすることができる。
【００１２】
（２）ズーム操作時に、第１のカムリング及び第２のカムリングの回転量と、第１の摺動枠及びカムピン部の回転量とが異なるように、第１のカム溝部と第２のカム溝部と第３のカム溝部とのカム形状が形成されているので、ズーム操作部材を操作する力量、力量変動を任意に設定ことができ、操作性をよくすることができる。
【００１３】
（３）第１の摺動枠及びカムピン部の回転量は、第１のカムリング及び第２のカムリングの回転量よりも少ないので、高倍率のズームレンズ鏡筒であっても、ズーム操作部材の操作力量を軽減することができる。
【００１４】
（４）第１の摺動枠と第１のカムリングとに相対的なばね付勢力を与えるばね部材を有するので、溝とピン（突起部）との間に生じる隙間を一方向に付勢することができ、がたを除去することができるとともに、光学特性を安定させ、より良好な画像を得ることができる。
【００１５】
（５）第１の摺動枠及び第２の摺動枠は、第１のカムリングの同一内径の内周面に嵌合して設けられているので、これらを光軸方向に並列して配置することとなり、鏡筒の径を小型にすることができる。
【発明を実施するための最良の形態】
【００１６】
以下に図面等を参照して、発明を実施するための最良の形態を、実施例をあげて説明する。
【実施例１】
【００１７】
以下、図面等を参照しながら、本発明の実施の形態について、さらに詳しく説明する。
図１は、本発明によるレンズ鏡筒の実施例１の断面図である。
実施例１におけるレンズ鏡筒は、不図示のカメラ本体に対して着脱自在な交換レンズであり、合焦動作時に第２レンズ群Ｌ２が光軸方向に移動することにより合焦動作を行う内焦式のズームレンズ鏡筒である。
実施例１におけるレンズ鏡筒は、第１レンズ群Ｌ１，第２レンズ群Ｌ２，第３レンズ群Ｌ３，固定筒１，第１のカムリング２，第１の摺動枠３，第３の摺動枠４，第２のカムリング５，Ｌ１摺動枠６，ズーム操作環７，フォーカス操作環８，フォーカス回転環９，フォーカス群移動枠１０，第２の摺動枠１１，ばね１３等を有している。
【００１８】
第１〜第３レンズ群Ｌ１〜Ｌ３は、いずれもズーミング時に光軸方向において移動する変倍レンズ群であり、撮影光学系を形成している。
第１レンズ群Ｌ１は、Ｌ１摺動枠６に保持されている。
第２レンズ群Ｌ２は、先に述べたように、合焦動作時に光軸方向に移動する変倍合焦レンズ群であり、フォーカス群移動枠１０に保持されている。
第３レンズ群Ｌ３は、第２の摺動枠１１に保持されている。
【００１９】
固定筒１は、不図示のカメラに固定されるマウント部１ｃを有した部材であり、直進案内溝部１ａ，突起部１ｂを有している。
固定筒１の内周側には、第１のカムリング２が突起部１ｂに案内されて光軸方向に移動可能かつ光軸まわりに回転可能に嵌合している。また、固定筒１の外周側には、第３の摺動枠４が嵌合している。
【００２０】
第１のカムリング２は、上述のように光軸方向に移動可能かつ光軸まわりに回転可能なように固定筒１の内周面に嵌合している部材である。
第１のカムリング２には、カム溝部２ａ，直進溝部２ｂ，案内カム溝部２ｃが設けられている。
第１のカムリング２の内周前側には、第１の摺動枠３が嵌合し、第１のカムリング２の内周後側（被写体側を前側、カメラ本体側を後側とする、以下同様）には、第２の摺動枠１１が嵌合している。
【００２１】
第１の摺動枠３は、光軸方向に移動可能かつ光軸まわりに回転可能なように、第１のカムリング２の内周前側に嵌合している案内部材である。第１の摺動枠３には、カムピン（カムピン部）１２が一体的に固定されている。このカムピン１２は、フォーカス群移動枠１０の第３のカム溝部１０ａ、第３の摺動枠４のカム溝部４ｂ、第２のカムリング５のカム溝部５ｂに嵌合している。
第１の摺動枠３は、第１のカムリング２と間には連動の関係が全くない。したがって第１の摺動枠３の光軸方向の長さは、カムピン１２を保持するのに必要な部分だけの短い筒に設定できる。したがって、後述する第２の摺動枠１１に絞りユニットが設けられている場合、又は、手振れ補正のためのレンズ駆動ユニットが設けられている場合などにおいても第１の摺動枠３と第２の摺動枠１１を光軸方向に並列して配置することができる。
【００２２】
第３の摺動枠４は、固定筒１の外周側に嵌合している案内リングであり、直進案内溝部４ａ，第１のカム溝部（案内溝）４ｂ，突起部４ｃ，円周溝部４ｄを有している。第１のカム溝部（案内溝）４ｂは、ズーミング時に第２のカム溝部５ｂと共に第２レンズ群Ｌ２を光軸方向に回転させながら光軸方向の位置決めを行う。突起部４ｃは、固定筒１の直進案内溝部１ａ、及び、第１のカムリング２のカム溝部２ａに嵌合している。したがって、第３の摺動枠４は、光軸方向に移動可能かつ光軸まわりに回転不可能なようになっている。
第３の摺動枠４の外周側には、第２のカムリング５が嵌合し、第３の摺動枠４の内周側には、フォーカス群移動枠１０が嵌合している。
【００２３】
第２のカムリング５は、第３の摺動枠４の外周側に嵌合している部材であり、カム溝部５ａ，第２のカム溝部５ｂ，突起部５ｃ，円周突起部５ｄを有している。第２のカム溝部５ｂは、ズーム動作時に第２レンズ群Ｌ２位置決めを行う位置決めカム溝部として機能する。円周突起部５ｄは、第３の摺動枠４の円周溝部４ｄと係合しているので、第２のカムリング５は、第３の摺動枠４に対し光軸方向に移動不可能かつ光軸まわりに回転可能となっている。
第２のカムリング５の外周側には、Ｌ１摺動枠６が嵌合している。
【００２４】
Ｌ１摺動枠６は、第１レンズ群Ｌ１を保持する部材であり、第２のカムリング５の外周側に嵌合している。Ｌ１摺動枠６には、突起部６ａが設けられており、この突起部６ａは、第３の摺動枠４の直進案内溝部４ａ、及び、第２のカムリング５のカム溝部５ａに嵌合している。したがって、Ｌ１摺動枠６は、光軸方向に移動可能かつ光軸まわりに回転不可能となっている。
【００２５】
ズーム操作環７は、焦点距離変更動作を行うときに回転操作されるズーム操作部材であり、光軸方向に移動不可能かつ光軸まわりに回転可能なように固定筒１の最外周前側に嵌合している。
ズーム操作環７には、突起部７ａが設けられ、この突起部７ａは、第１のカムリング２の直進溝部２ｂに嵌合している。また、ズーム操作環７には、直進溝７ｂが設けられ、第２のカムリング５の突起部５ｃが係合している。したがって、ズーム操作環７が回転操作されると、その回転角と等しい角度だけ第１のカムリング２及び第２のカムリング５が回転する。
【００２６】
ここで、ズーム操作環７のワイド（広角端）からテレ（望遠端）までの回転角θ1 は、カムピン１２がワイドからテレまでに回転する回転角θ2 （後述）よりも大きな角度となるように設定されている。具体的には、実施例１における回転角θ2 ＝８０度、回転角θ1 ＝１００度となっている。
【００２７】
フォーカス操作環８は、合焦動作を行うときに回転操作されるフォーカス操作部材であり、光軸方向に移動不可能かつ光軸まわりに回転可能なように、固定筒１の最外周後側に嵌合している。
フォーカス操作環８は、不図示のキーによりフォーカス回転環９と連結している。
【００２８】
フォーカス回転環９は、光軸方向に移動不可能かつ光軸まわりに回転可能なように、固定筒１の最外周内側に嵌合している部材である。
フォーカス回転環９は、不図示のキーによりフォーカス群移動枠１０に連結している。
また、フォーカス回転環９は、不図示の超音波モータに接続されており、この超音波モータの駆動力により回転可能になっている。
従って、マニュアルフォーカス時には、フォーカス操作環８を回転操作することによりフォーカス群移動枠１０が回転し、オートフォーカス時には、超音波モータの駆動力によりフォーカス群移動枠１０が回転する。
【００２９】
フォーカス群移動枠１０は、第２レンズ群Ｌ２を保持する部材であり、光軸方向に移動可能かつ光軸まわりに回転可能なように、第３の摺動枠４の内周側に嵌合している。フォーカス群移動枠１０には、カムピン部１２と係合し第２レンズ群Ｌ２の光軸方向の位置を変更し合焦動作を行うための合焦カム溝部として、第３のカム溝部１０ａが設けられている。
図２は、フォーカス群移動枠１０の展開図である。
第３のカム溝部１０ａに嵌合しているカムピン１２は、ワイド時には、図２中の１２（Ｗ）の位置にある。ワイド時に合焦動作を行うと、フォーカス群移動枠１０がフォーカス回転角θf の範囲で回転し（図２の展開図では左右に移動し）、光軸方向にｘfW移動して合焦操作される。
【００３０】
一方、テレ時には、カムピン１２は、回転角θ2 だけ回転した１２（Ｔ）の位置にあり、テレ時に合焦動作を行うと、フォーカス群移動枠１０がフォーカス回転角θf の範囲で回転し（図２の展開図では左右に移動し）光軸方向にｘfTft移動して合焦操作される。
また、フォーカス群移動枠１０は、カムピン１２がワイド位置１２（Ｗ）からテレ位置１２（Ｔ）へ回転角θ2 だけ回転したときに、カムピン１２に対して光軸方向にｘ4 だけ移動する。
【００３１】
第２の摺動枠１１は、第３レンズ群Ｌ３を保持する部材であり、光軸方向に移動可能かつ光軸まわりに回転不可能なように、第１のカムリング２の内周後側に嵌合している。
第２の摺動枠１１には、穴１１ａが設けられており、この穴１１ａに第３の摺動枠４の突起部４ｃが嵌め込まれているので、第２の摺動枠１１は、第３の摺動枠４と共に移動する。
【００３２】
ばね１３は、第１のカムリング２と第１の摺動枠３との間に設けられたばね部材であり、第１のカムリング２と第１の摺動枠３との間に相対的なばね付勢力を光軸方向に発生するウェーブワッシャである。
このばね１３の作用により、カムピン１２とカム溝部４ｂ，５ｂとのがた、円周溝４ｄと突起部５ｃとのがた、突起部１ａとカム溝部２ａとのがたを除去することができ、各レンズ群の位置を安定させることができる。
【００３３】
図３は、本発明における固定筒１、第１のカムリング２の展開図である。
図４は、本発明における第３の摺動枠４、第２のカムリング５の展開図である。
図５は、本発明における第３の摺動枠４、第２のカムリング５、フォーカス群移動枠１０の展開図である。
以下、これらの図を参照しながら、実施例１におけるレンズ鏡筒の動作について説明する。
なお、以下の説明において、説明を簡易化するためにワイドとテレの状態で説明を行うが、その中間位置に関しても全く同様の説明が成り立つ。
ズーム操作環７をワイドからテレに焦点距離変更するためにθ1 回転させると、ズーム操作環７の突起部７ａと第１のカムリング２の直進溝部２ｂにより第１のカムリング２は、θ1 回転し、固定筒１の突起部１ｂに案内されてｘc だけ光軸方向に移動する。このとき、第２の摺動枠１１及び第３の摺動枠４は、突起部４ｃが固定筒１の直進案内溝部１ａ、及び、第１のカムリング２のカム溝部２ａに嵌合していることから、光軸方向にｘ3 だけ移動する（図３参照）。したがって、前述の第１のカムリング２の移動量ｘc と合わせて、第２の摺動枠１１及び第３の摺動枠４は、ｘc ＋ｘ3 だけ光軸方向に移動する。
【００３４】
また、ズーム操作環７の回転（θ1 ）は、ズーム操作環７の直進溝７ｂと第２のカムリング５の突起部５ｃとの係合により第２のカムリング５に伝達され、第２のカムリング５もθ1 だけ回転する。このとき、Ｌ１摺動枠６は、突起部６ａが第３の摺動枠４の直進案内溝部４ａ、及び、第２のカムリング５のカム溝部５ａに嵌合しているので、回転することなく光軸方向にｘ1 だけ第３の摺動枠４に対して相対的に移動する（図４参照）。したがって、前述の第３の摺動枠４の移動量ｘc ＋ｘ3 とあわせてＬ１摺動枠６は、ｘc ＋ｘ3 ＋ｘ1 だけ光軸方向に移動する。
【００３５】
ズーム操作環７の回転（θ1 ）に伴い上述のように第２のカムリング５がθ1 だけ回転すると、第１の摺動枠３は、カムピン１２が第３の摺動枠４のカム溝部４ｂ、第２のカムリング５のカム溝部５ｂに嵌合していることから、光軸方向にｘ2 だけ移動するとともに、光軸まわりにθ2 だけ回転する（図５参照）。また、カムピン１２がフォーカス群移動枠１０の第３のカム溝部１０ａと嵌合していることから、フォーカス群移動枠１０は、第３の摺動枠４の移動量ｘc ＋ｘ3 、第１の摺動枠３の移動量ｘ2 及び第３のカム溝部１０ａの移動量ｘ4 （図２参照）の合成量ｘc ＋ｘ3 −ｘ2 ＋ｘ4 だけ光軸方向に移動する。
【００３６】
以上のように、実施例１によれば、第１レンズ群Ｌ１，第３レンズ群Ｌ３を駆動させる第１のカムリング２，第２のカムリング５、及び、ズーム操作環７の回転角θ1 を、フォーカス群である第２レンズ群Ｌ２を駆動する第３のカム溝部１０ａから決まる回転角θ2 よりも大きく設定することが可能である。したがって、フォーカスカムである第３のカム溝部１０ａを最適な設計として回転角θ2 を決めても、ズーム操作環７の回転角θ1 が大きいので、ズーム操作環７の操作力量を低減することができる。
また、第２のカムリング５のカム溝部５ｂの形状を自由に設計することができるので、ズーム中の操作力量の変動を滑らかにすることができ、ズーム操作環７をスムーズに操作可能にすることができる。
【００３７】
（変形例）
以上説明した実施例に限定されることなく、種々の変形や変更が可能であって、それらも本発明の均等の範囲内である。
例えば、実施例１において、第１のカムリング２及び第２のカムリング５の回転角とズーム操作環７の回転角を同一の回転角θ1 とした例を示したが、これに限らず、例えば、直進案内溝部２ａ及び４ａをカム形状として、第１のカムリング２及び第２のカムリング５とズーム操作環７をそれぞれ任意の回転角に設定してもよい。
【００３８】
また、実施例１において、第１の摺動枠３と第１のカムリング２との間に、がたとりのばね１３を入れているので、第１の摺動枠３と第１のカムリング２のそれぞれの光軸方向の移動軌跡が同一となるように設定した例を示したが、これに限らず、例えば、各カム溝部の形状（＝ズーム操作力の変動）を優先し、第１の摺動枠３と第１のカムリング２のそれぞれの光軸方向の移動軌跡を、固定筒１の突起部１ｂが嵌合する第１のカムリング２の案内カム溝部２ｃの形状と、カム溝部４ｂ，５ｂによりそれぞれ独立して設定してもよい。
【図面の簡単な説明】
【００３９】
【図１】本発明によるレンズ鏡筒の実施例１の断面図である。
【図２】フォーカス群移動枠１０の展開図である。
【図３】本発明における固定筒１、第１のカムリング２の展開図である。
【図４】本発明における第３の摺動枠４、第２のカムリング５の展開図である。
【図５】本発明における第３の摺動枠４、第２のカムリング５、フォーカス群移動枠１０の展開図である。
【符号の説明】
【００４０】
１  固定筒
２  第１のカムリング
３  第１の摺動枠
４  第３の摺動枠
５  第２のカムリング
６  Ｌ１摺動枠
７  ズーム操作環
８  フォーカス操作環
９  フォーカス回転環
１０  フォーカス群移動枠
１１  第２の摺動枠
１２  カムピン
１３  ばね
Ｌ１  第１レンズ群
Ｌ２  第２レンズ群
Ｌ３  第３レンズ群
【図１】
2005266472.tif 000003
【図２】
2005266472.tif 000004
【図３】
2005266472.tif 000005
【図４】
2005266472.tif 000006
【図５】
2005266472.tif 000007